(57)【要約】【課題】従来の録画管理装置では、受け付けた録画予約の日時が番組録画装置に既に設定された録画予約の日時と少しでも重なると、録画予約を設定できない場合があり、受け付けた録画予約を効率的に複数の番組録画装置に設定できないという課題があった。【解決手段】録画管理装置１０１は、ネットワーク１０２を介して接続された番組録画装置１０３、１０４、１０５から、番組録画装置１０３、１０４、１０５に既に設定された録画予約の情報、及び、番組録画装置１０３、１０４、１０５が録画可能な放送についての情報を収集し、これら情報に基づき、受け付けた録画予約を番組録画装置１０３、１０４、１０５に設定する。【選択図】  図１
2014090296.tif 000002
【特許請求の範囲】
【請求項１】
番組を録画する複数の番組録画装置と接続され前記複数の番組録画装置の録画予約を管理する録画管理装置であって、
前記録画予約を受け付ける録画予約受付部と、
前記複数の番組録画装置のうち少なくとも２以上の前記番組録画装置についての録画可能な放送についての情報、及び、前記２以上の番組録画装置に設定された前記録画予約の情報を収集する情報収集部と、
前記情報収集部で収集された情報に基づき、前記２以上の番組録画装置についての前記録画予約を前記２以上の番組録画装置間で移動させるよう指示する録画予約指示部と、
前記録画予約指示部による前記指示に基づき前記２以上の番組録画装置間で前記録画予約を移動させ、前記録画予約受付部で受け付けた前記録画予約を前記２以上の番組録画装置のうちいずれかに設定する録画予約操作部とを備えることを特徴とする録画管理装置。
【請求項２】
前記録画予約操作部は、前記２以上の番組録画装置間で前記録画予約を移動させることにより空いた録画領域に前記録画予約受付部で受け付けた前記録画予約を設定することを特徴とする請求項１に記載の録画管理装置。
【請求項３】
前記録画予約指示部は、前記情報収集部で収集された情報に基づき、前記録画予約受付部で受け付けた前記録画予約を前記２以上の番組録画装置のうちいずれかに設定できるか否かを判定し、設定できないと判定した場合に前記録画予約を前記２以上の番組録画装置間で移動させるよう指示することを特徴とする請求項１又は２に記載の録画管理装置。
【請求項４】
前記録画予約指示部は、前記録画予約を前記２以上の番組録画装置のうちいずれかに設定できると判定した場合に、前記録画予約情報に含まれる項目についての情報に基づいて、前記録画予約を設定する前記番組録画装置を決定することを特徴とする請求項３に記載の録画管理装置。
【請求項５】
前記録画予約指示部は、外部機器を番組入力元とする録画予約を、外部機器を用いず録画可能な前記番組録画装置に設定するよう指示することを特徴とする請求項１乃至４のいずれかに記載の録画管理装置。
【請求項６】
前記情報収集部は、前記録画予約受付部が前記録画予約を受け付けると、前記２以上の番組録画装置から前記情報を収集することを特徴とする請求項１乃至５のいずれかに記載の録画管理装置。
【請求項７】
前記情報収集部は、定期的に前記２以上の前記録画予約装置から前記情報を収集することを特徴とする請求項１乃至６のいずれかに記載の録画管理装置。
【請求項８】
番組を録画する複数の番組録画装置と接続され前記複数の番組録画装置の録画予約を管理する録画管理装置であって、
前記複数の番組録画装置のうち少なくとも２以上の前記番組録画装置に設定された前記録画予約を収集する録画予約収集部と、
前記２以上の前記番組録画装置についての録画可能な放送についての情報、及び、前記２以上の番組録画装置に設定された前記録画予約の情報を収集する情報収集部と、
前記情報収集部で収集された情報に基づき、前記録画予約収集部により収集された前記録画予約を、前記２以上の番組録画装置に設定する録画予約操作部とを備えたことを特徴とする録画管理装置。
【請求項９】
番組を録画する複数の番組録画装置と、前記複数の番組録画装置の録画予約を管理する録画管理装置とを備えた録画管理システムであって、
前記録画管理装置は、
前記録画予約を受け付ける録画予約受付部と、
前記複数の番組録画装置のうち少なくとも２以上の前記番組録画装置についての録画可能な放送についての情報、及び、前記２以上の番組録画装置に設定された前記録画予約の情報を収集する情報収集部と、
前記情報収集部で収集された情報に基づき、前記２以上の番組録画装置についての前記録画予約を前記２以上の番組録画装置間で移動させるよう指示する録画予約指示部と、
前記録画予約指示部による前記指示に基づき前記２以上の番組録画装置間で前記録画予約を移動させ、前記録画予約受付部で受け付けた前記録画予約を前記２以上の番組録画装置のうちいずれかに設定する録画予約操作部とを備え、
前記複数の番組録画装置のうち第１の番組録画装置は、予め設定された前記録画予約を削除するとともに前記録画予約受付部で受け付けられた前記録画予約を設定し、
前記複数の番組録画装置のうち第２の番組録画装置は、前記第１の番組録画装置に削除された前記録画予約を設定することを特徴とする録画管理システム。
【発明の詳細な説明】
【技術分野】
【０００１】
本発明は、複数の番組録画装置に対して効率良く録画予約を設定する録画管理装置及び録画管理システムに関するものである。
【背景技術】
【０００２】
近年、複数のチューナを持ち、複数番組を同時に録画できる番組録画装置が普及してきている。また、番組録画装置自体の低価格化に伴い、自宅内に複数の番組録画装置が設置される機会が多くなっている。このような状況において、ユーザの録画予約の負担を軽減するため、複数の番組録画装置から各番組録画装置の空き容量及びチューナの利用状況についての情報を収集し、収集した情報に基づいて、受け付けた録画予約を適切な番組録画装置へ設定する録画管理装置が知られている（例えば、特許文献１参照）。
【先行技術文献】
【特許文献】
【０００３】
【特許文献１】特開２００７−１７３９１８号公報
【発明の概要】
【発明が解決しようとする課題】
【０００４】
しかしながら、従来の録画管理装置では、受け付けた録画予約を番組録画装置に設定する際、受け付けた録画予約の日時が番組録画装置に既に設定された録画予約の日時と少しでも重なると、録画予約を設定できない場合があり、受け付けた録画予約を効率的に複数の番組録画装置に設定できないという課題があった。
【０００５】
本発明は、上述した課題を解決するためになされたものであり、複数の番組録画装置に対して、受け付けた録画予約を効率的に設定することができる録画管理装置及び録画管理システムを提供することを目的とする。
【課題を解決するための手段】
【０００６】
本発明に係る録画管理装置は、番組を録画する複数の番組録画装置と接続され前記複数の番組録画装置の録画予約を管理する録画管理装置であって、前記録画予約を受け付ける録画予約受付部と、前記複数の番組録画装置のうち少なくとも２以上の前記番組録画装置についての録画可能な放送についての情報、及び、前記２以上の番組録画装置に設定された前記録画予約の情報を収集する情報収集部と、前記情報収集部で収集された情報に基づき、前記２以上の番組録画装置についての前記録画予約を前記２以上の番組録画装置間で移動させるよう指示する録画予約指示部と、前記録画予約指示部による前記指示に基づき前記２以上の番組録画装置間で前記録画予約を移動させ、前記録画予約受付部で受け付けた前記録画予約を前記２以上の番組録画装置のうちいずれかに設定する録画予約操作部とを備えることを特徴とする。
【０００７】
本発明に係る録画管理システムは、番組を録画する複数の番組録画装置と、前記複数の番組録画装置の録画予約を管理する録画管理装置とを備えた録画管理システムであって、前記録画管理装置は、前記録画予約を受け付ける録画予約受付部と、前記複数の番組録画装置のうち少なくとも２以上の前記番組録画装置についての録画可能な放送についての情報、及び、前記２以上の番組録画装置に設定された前記録画予約の情報を収集する情報収集部と、前記情報収集部で収集された情報に基づき、前記２以上の番組録画装置についての前記録画予約を前記２以上の番組録画装置間で移動させるよう指示する録画予約指示部と、前記録画予約指示部による前記指示に基づき前記２以上の番組録画装置間で前記録画予約を移動させ、前記録画予約受付部で受け付けた前記録画予約を前記２以上の番組録画装置のうちいずれかに設定する録画予約操作部とを備え、前記複数の番組録画装置のうち第１の番組録画装置は、予め設定された前記録画予約を削除するとともに前記録画予約受付部で受け付けられた前記録画予約を設定し、前記複数の番組録画装置のうち第２の番組録画装置は、前記第１の番組録画装置に削除された前記録画予約を設定することを特徴とする。
【発明の効果】
【０００８】
本発明の録画管理装置及び録画管理システムによれば、収集した録画予約情報及び番組録画装置情報を利用して受け付けた録画予約を番組録画装置に設定するので、録画予約を効率的に番組録画装置に設定することが可能となる。
【図面の簡単な説明】
【０００９】
【図１】実施の形態１に係る録画管理システムの構成例を示す図である。
【図２】実施の形態１に係る録画管理装置１０１の構成例を示す図である。
【図３】実施の形態１に係る番組録画装置１０３の構成例を示す図である。
【図４】実施の形態１に係る動作例を示すフローチャートである。
【図５】実施の形態１に係る録画予約情報の一例を示す図である。
【図６】実施の形態１に係る番組録画装置情報の一例を示す図である。
【図７】実施の形態１に係る録画予約の移動処理についての動作例を示すフローチャートである。
【図８】実施の形態１に係る更新後の録画予約情報の一例を示す図である。
【図９】実施の形態２に係る録画管理装置９０１の構成例を示す図である。
【図１０】実施の形態２に係る動作例を示すフローチャートである。
【図１１】実施の形態２に係る録画予約情報の一例を示す図である。
【図１２】実施の形態３に係る動作例を示すフローチャートである。
【図１３】実施の形態３に係る録画予約情報の一例を示す図である。
【発明を実施するための形態】
【００１０】
実施の形態１．
以下図面を用いて本発明の実施の形態１を説明する。
【００１１】
図１は実施の形態１に係る録画管理システムの構成例を示す図である。録画管理システムは、録画管理装置１０１が、ネットワーク１０２を介して複数の番組録画装置１０３、１０４、１０５と接続される。なお、ここでは番組録画装置が３台として説明を行うが、この台数に限定するものではない。
【００１２】
録画管理装置１０１は、サーバ等により実現され、接続される複数の番組録画装置の録画予約を管理する。番組録画装置１０３、１０４、１０５は、ＨＤＤ（Ｈａｒｄ  Ｄｉｓｃ  Ｄｒｉｖｅ）レコーダ又はＢＤ（Ｂｌｕ−ｒａｙ  Ｄｉｓｃ）レコーダ等により実現され、設定された録画予約に基づき番組を録画し、番組データ及び番組メタデータを記憶する。ここで番組とは、放送番組に限らず、インターネットにより入手できる動画コンテンツ、音楽等でもよい。放送番組でない場合には、番組メタデータに相当する情報がインターネットにより入手される。ネットワーク１０２は、イーサネット（登録商標）ケーブル又は無線電波等によって構成されるＬＡＮ（Ｌｏｃａｌ  Ａｒｅａ  Ｎｅｔｗｏｒｋ）により実現される。
【００１３】
まず、録画管理装置１０１について詳細を説明する。図２は実施の形態１に係る録画管理装置１０１の構成例を示す図である。録画管理装置１０１は、通信部２０１と、入力部２０２と、出力部２０３と、録画予約受付部２０４と、情報収集部２０５と、録画予約情報記憶部２０６と、番組録画装置情報記憶部２０７と、録画予約指示部２０８と、録画予約操作部２０９とを備える。なお、録画管理装置１０１は、番組録画装置１０３、１０４、１０５とは異なる装置として以下説明を行うが、図２で説明する構成を備えるのであれば、番組録画装置、つまりＨＤＤレコーダ又はＢＤレコーダ自体であってもよい。
【００１４】
通信部２０１は、番組録画装置１０３、１０４、１０５と通信してデータを送受信し、例えばイーサネット（登録商標）ポート又は無線ＬＡＮカードのように、ＬＡＮに接続して番組録画装置と通信できるインターフェースである。なお、データの送受信は、例えばＤＬＮＡ（Ｄｉｇｉｔａｌ  Ｌｉｖｉｎｇ  Ｎｅｔｗｏｒｋ  Ａｌｌｉａｎｃｅ）ガイドラインに従った通信手段によって行われてもよいし、Ｘ＿ＳＲＳ（Ｓｃｈｅｄｕｌｅｄ  Ｒｅｃｏｒｄｉｎｇ  Ｓｅｒｖｉｃｅ）規格に従った通信手段によって行われてもよい。ＤＬＮＡガイドラインに定められていない情報の送受信については、ＵＰｎＰ（Ｕｎｉｖｅｒｓａｌ  Ｐｌｕｇ  Ａｎｄ  Ｐｌａｙ）規格に従った通信手段によって行われてもよい。なお、番組録画装置１０３、１０４、１０５による、録画管理装置１０１との接続検出についても、上記で説明した通信手段を利用することが可能である。
【００１５】
入力部２０２は、ユーザにより所望の操作が入力され、例えばリモコン装置からの受信装置が該当する。また、入力部２０２は、キーボードとマウス及びＧＵＩ（Ｇｒａｐｈｉｃａｌ  Ｕｓｅｒ  Ｉｎｔｅｒｆａｃｅ）によるものであってもよく、録画管理装置１０１に直接配置されるボタン又はそれに類する入力装置であってもよい。
【００１６】
出力部２０３は、ユーザへ情報を提示するものであり、例えば録画予約の一覧画面等をユーザへ提供するためのモニタ装置及びスピーカに対して画像信号及び音声信号を出力する。
【００１７】
録画予約受付部２０４は、入力部２０２を介してなされたユーザの操作に基づき、録画予約の設定、修正又は削除を受け付ける。
【００１８】
情報収集部２０５は、録画予約受付部２０４により新たに録画予約が受け付けられると、通信部２０１を介して、番組録画装置１０３、１０４、１０５から、番組録画装置が録画可能な放送についての情報である番組録画装置情報、及び、番組録画装置について既に設定された録画予約の情報である録画予約情報を収集する。情報収集部２０５は、収集した録画予約情報を録画予約情報記憶部２０６に記憶し、番組録画装置情報を番組録画装置情報記憶部２０７に記憶する。録画予約情報及び番組録画装置情報については、詳細な説明は後述する。
【００１９】
録画予約指示部２０８は、情報収集部２０５により収集された情報（録画予約情報及び番組録画装置情報）に基づき、録画予約受付部２０４にて受け付けられた録画予約を設定できる番組録画装置が存在するか否かを判定する。
【００２０】
また、録画予約指示部２０８は、判定結果に基づき録画予約操作部２０９に対して録画予約の設定、修正又は削除を指示する。録画予約指示部２０８は、録画予約を設定できる番組録画装置が存在すると判定した場合は、設定可能な番組録画装置に対して受け付けた録画予約を設定するよう録画予約操作部２０９に指示する。録画予約指示部２０８は、録画予約を設定できる番組録画装置が存在しないと判定した場合は、複数の番組録画装置１０３、１０４、１０５について設定される録画予約を、これら番組録画装置１０３、１０４、１０５間で移動させるよう指示するとともに、録画予約の移動により生じた空き録画領域に受け付けた録画予約を設定するよう指示する。
【００２１】
録画予約操作部２０９は、録画予約指示部２０８の指示に基づき、通信部２０１を介し、番組録画装置１０３、１０４、１０５に対して録画予約の設定、修正、又は削除を行う。
【００２２】
次に、番組録画装置１０３、１０４、１０５について詳細を説明する。図３は実施の形態１に係る番組録画装置１０３の構成例を示す図である。ここでは代表して番組録画装置１０３の構成について説明するが、番組録画装置１０４、１０５も同様の構成である。番組録画装置１０３は、通信部３０１と、入力部３０２と、出力部３０３と、録画予約受付部３０４と、録画予約情報記憶部３０５と、番組録画装置情報記憶部３０６と、情報提供部３０７と、番組録画部３０８と、録画番組記憶部３０９とを備える。
【００２３】
通信部３０１は、録画管理装置１０１の通信部２０１と通信してデータの送受信を行う。通信規格等は通信部２０１と同様であるため説明を省略する。
【００２４】
入力部３０２は、ユーザにより所望の操作が入力され、録画管理装置１０１の入力部２０２と同様である。出力部２０３は、ユーザへ情報を提示し、録画管理装置１０１の出力部２０３と同様である。
【００２５】
録画予約受付部３０４は、入力部３０２を介してなされたユーザの操作に基づき、録画予約の設定、修正又は削除を受け付ける。また、録画予約受付部３０４は、録画予約操作部２０９により通信部３０１を介してなされた録画予約の設定、修正又は削除を受け付ける。録画予約受付部３０４は、録画予約の設定等を受け付けると、受け付けた録画予約の設定等に関わる録画予約情報を録画予約情報記憶部３０５に記憶する。
【００２６】
番組録画装置情報記憶部３０６には、自装置の番組録画装置情報が記憶されている。図３の例では、番組録画装置情報記憶部３０６には、番組録画装置１０３における番組録画装置情報が記憶される。
【００２７】
情報提供部３０７は、録画管理装置１０１の情報収集部２０５からの収集指示に基づき、録画予約情報記憶部３０５に記憶されている録画予約情報と、番組録画装置情報記憶部３０６に記憶されている番組録画装置情報とを取得し、通信部３０１を介して情報収集部２０５に送信（提供）する。また、情報提供部３０７は、録画予約受付部３０４にて録画予約が受け付けられた場合に、録画予約情報及び番組録画装置情報を送信することとしてもよい。
【００２８】
番組録画部３０８は、録画予約情報記憶部３０５に記憶されている録画予約情報に基づいて、録画予約日時になると、録画予約の対象となる番組を録画する。番組録画部３０８は、録画した番組データ及び番組メタデータを録画番組記憶部３０９に記憶する。
【００２９】
次に動作について説明する。図４は実施の形態１に係る動作例を示すフローチャートである。以下では、説明を簡単にするため、録画管理装置１０１に接続される番組録画装置は、番組録画装置１０３、１０４の２台のみとして説明を行うが、上述したように、これにより接続される番組録画装置の台数が制限されるものではない。
【００３０】
録画管理装置１０１の録画予約受付手段２０４が入力部２０２を介して録画予約を受け付けると（ステップＳ４０１）、情報収集部２０５が、各番組録画装置１０３、１０４、１０５から録画予約情報３０５及び番組録画装置情報を収集する（ステップＳ４０２）。この際、各番組録画装置１０３、１０４、１０５の情報提供部３０７が、それぞれの番組録画装置の録画予約情報及び番組録画装置情報を送信する。
【００３１】
なお、情報収集部２０５は、必ずしも録画予約の受付に応じて情報収集処理を行う必要はなく、例えば録画管理装置１０１の起動後、定期的に情報収集を行うようにしてもよい。この場合、情報収集はステップＳ４０１より前に行われていて、録画予約が受け付けられた場合に（ステップＳ４０１）、既に収集していた情報をもとにステップＳ４０３以降の処理を行うこととなる。
【００３２】
ここで、録画予約情報及び番組録画装置情報について詳細を説明する。図５は実施の形態１に係る録画予約情報の一例を示す図である。録画予約情報は、録画予約の対象となる各番組録画装置の装置名５０１、録画予約の対象となる番組の放送種別５０２、チャンネル５０３、録画日時５０４、番組入力元５０５、タイトル５０６、ジャンル５０７から構成される。
【００３３】  レコーダ０１である番組録画装置１０３について言えば、装置名は「レコーダ０１」であり、設定されている録画予約のうち１つの番組の放送種別には「ＢＳデジタル」、チャンネルには「（公序良俗違反につき、不掲載）」、録画日時には「2012/7/1  18:00〜19:30」、番組入力元には「レコーダ０１」、タイトルには「ニュース６」、ジャンルには「ニュース」が格納される。同様に、番組録画装置１０３に設定されている録画予約のうちもう１つの番組の放送種別は「ＢＳデジタル」、チャンネルは「（公序良俗違反につき、不掲載）」、録画日時は「2012/7/1  18:00〜21:00」、番組入力元は「レコーダ０１」、タイトルは「映画Ａ」、ジャンルは「映画」となる。番組録画装置１０４であるレコーダ０２については説明を省略する。
【００３４】
録画予約管理装置１０１が新たに受け付けた録画予約については、装置名及び番組入力元の情報が格納されていないので、「−」となっている。
【００３５】  なお、放送種別５０２には、例えば「地上波デジタル」、「ＢＳデジタル」といった文字列が格納されればよく、ＡＲＩＢ（一般社団法人  電波産業会）の定めるｏｒｉｇｉｎａｌ＿ｎｅｔｗｏｒｋ＿ｉｄであってもよい。チャンネル５０３には、例えば「（公序良俗違反につき、不掲載）」、「（公序良俗違反につき、不掲載）」といった文字列が格納されればよく、ＡＲＩＢの定めるｓｅｒｖｉｃｅ＿ｉｄであってもよい。また、放送内のサービスインフォメーション情報に含まれている３桁のチャンネル番号であってもよい。
【００３６】
番組入力元５０５には、番組録画装置が装置単体で番組を録画する場合には番組録画装置自身の名称が格納される。番組録画装置がネットワーク１０２を介してセットトップボックス等の外部機器から番組を受信することで番組を録画する場合には、番組入力元には外部機器の名称が格納される。もしくは、外部機器であることを示す「外部機器」等の文字列が格納される。タイトル５０６には、例えば放送内のサービスインフォメーション情報に含まれている番組名を表す文字列が格納されてもよいし、ユーザによって任意に入力された情報であってもよい。ジャンル５０７については、例えばＡＲＩＢの定めるジャンルを表す数値又はジャンルを文字列化した値が格納されればよい。
【００３７】
図６は実施の形態１に係る番組録画装置情報の一例を示す図である。番組録画装置情報は、番組録画装置の装置名６０１、番組録画装置の録画可能な番組の放送種別６０２、番組録画装置の同時録画可能な番組数６０３、番組録画装置の録画可能なチャンネル６０４から構成される。
【００３８】  図６の情報から、番組録画装置１０３であるレコーダ０１は、放送種別「地上波デジタル」については同時録画可能番組数２で、録画可能チャンネルは「（公序良俗違反につき、不掲載）」であることがわかる。レコーダ０１のその他の放送種別、及び、レコーダ０２については説明を省略する。
【００３９】
図４に戻って、情報収集部２０５が録画予約情報及び番組録画装置情報を収集すると、録画予約指示部２０８は、情報収集部２０５が収集した情報に基づいて、新たに受け付けた録画予約を、番組録画装置１０３、１０４のうちいずれかに設定できるか否かを判定する（ステップＳ４０３）。
【００４０】
新たに受け付けた録画予約を、番組録画装置１０３と番組録画装置１０４のいずれかに設定できる場合（ステップＳ４０３−Ｙｅｓ）、録画予約指示部２０８は、設定可能な番組録画装置に対して録画予約を設定するよう、録画予約操作部２０９に指示する。指示を受けた録画予約操作部２０９は、通信部２０１を介して、録画予約が設定可能な番組録画装置の録画予約受付部３０４に録画予約の受け付けるよう設定する（ステップＳ４０４）。
【００４１】
一方、新たに受け付けた録画予約を、番組録画装置１０３と番組録画装置１０４のいずれにも設定できない場合（ステップＳ４０３−Ｎｏ）、録画予約指示部２０８は、番組録画装置１０３、１０４について既に設定された録画予約を、これら番組録画装置１０３、１０４間で移動させるよう録画予約操作部２０９に指示する。指示を受けた録画予約操作部２０９は、通信部２０１を介して、番組録画装置１０３及び番組録画装置１０４に既に設定されている録画予約を、これら番組録画装置１０３、１０４間で移動させるよう操作する（ステップＳ４０５）。
【００４２】
ここでは、新たに受け付けた録画予約は、番組録画装置１０３、１０４のいずれにも設定できないので、ステップＳ４０５の処理がなされる。
【００４３】
次に、図５乃至図７を用いてステップＳ４０５の処理の詳細を説明する。図７は実施の形態１に係る録画予約の移動処理についての動作例を示すフローチャートである。
【００４４】  録画管理装置１０１の録画予約指示部２０８は、録画予約情報及び番組録画装置情報に基づいて、新たに受け付けた録画予約を設定する番組録画装置を選択する（ステップＳ７０１）。ここでは、図５に示すように、新たに受け付けた録画予約の放送種別は「ＢＳデジタル」で、チャンネルは「（公序良俗違反につき、不掲載）」であるので、図６から、番組録画装置１０３（レコーダ０１）及び番組録画装置１０４（レコーダ０２）のいずれも選択可能であることがわかるが、ここではレコーダ０１を選択するものとして説明を進める。
【００４５】  図５におけるレコーダ０１を見ると、放送種別「ＢＳデジタル」について、２つの録画予約が既に設定されており、チャンネル「（公序良俗違反につき、不掲載）」の録画予約は録画日時「2011/7/118:00〜19:30」で、チャンネル「（公序良俗違反につき、不掲載）」の録画予約は録画日時「2011/7/118:00〜21:00」である。新たに受け付けられた録画予約の録画日時は「2012/7/119:00〜20:00」である。そのため、既に設定された録画予約は両者とも、新たに受け付けた録画予約と衝突しており、これら２つの録画予約をそれぞれ、衝突する録画予約と定義する。
【００４６】
次に、録画予約指示部２０８は、衝突する録画予約を他の番組録画装置に移動可能か否かを判定する（ステップＳ７０２）。移動可能な場合はステップＳ７０３に進み、移動可能でない場合はステップＳ７０７に進む。
【００４７】
録画予約指示部２０８が、衝突する録画予約を他の番組録画装置１０４に移動可能でないと判断した場合は（ステップＳ７０２−Ｎｏ）、録画予約指示部２０８は、未選択の番組録画装置があるか否かを判定する（ステップＳ７０７）。例えば未選択の番組録画装置として番組録画装置１０４が存在する場合は（ステップＳ７０７−Ｙｅｓ）、録画予約指示部２０８は、番組録画装置１０４に対して、ステップＳ７０１、Ｓ７０２の処理を行う。未選択の番組録画装置が存在しない場合は（ステップＳ７０７−Ｎｏ）、録画予約指示部２０８は、番組録画装置間での衝突する録画予約を移動させられないと判断し、受け付けた録画予約を設定できないので、録画予約に失敗したことをユーザに通知する（ステップＳ７０８）。
【００４８】  ここでは、録画予約指示部２０８は、番組録画装置１０３に設定された、衝突する録画予約のうち、チャンネル「（公序良俗違反につき、不掲載）」の録画予約については、他の番組録画装置１０４に移動可能であると判断する（ステップＳ７０２−Ｙｅｓ）。なぜなら、レコーダ０１におけるチャンネル「（公序良俗違反につき、不掲載）」の録画予約と、レコーダ０２におけるチャンネル「（公序良俗違反につき、不掲載）」の録画予約は、録画日時が重複しておらず、衝突が生じないからである。
【００４９】  なお、例えばレコーダ０１においてチャンネル「（公序良俗違反につき、不掲載）」、録画日時「2011/7/119:30〜20:00」のような録画予約がさらに設定されていた場合は、録画予約指示部２０８は、レコーダ０１において、チャンネル「（公序良俗違反につき、不掲載）」の、録画日時「2011/7/118:00〜21:00」の録画予約、及び、録画日時「2011/7/119:30〜20:00」のような録画予約の両方について移動可能か否かを判定することになる。
【００５０】  次に、録画予約指示部２０８は、チャンネル「（公序良俗違反につき、不掲載）」の衝突する録画予約を番組録画装置１０４に設定するとともに、当該録画予約を、番組録画装置１０３から削除するよう録画予約操作部２０９に指示する。録画予約操作部２０９は、当該指示に基づいて、録画予約の設定、削除の操作を行う（ステップＳ７０３、Ｓ７０４）。これらステップＳ７０３及びステップＳ７０４の処理により、番組録画装置１０３、１０４間で、受け付けた録画予約と衝突する録画予約を移動させているといえる。
【００５１】  次に、録画予約指示部２０８は、受け付けた録画予約を、ステップＳ７０１で選択した番組録画装置１０３に設定するよう指示し、録画予約操作部２０９が当該指示に基づいて録画予約の設定操作を行う（ステップＳ７０５）。この際、ステップＳ７０４においてチャンネル「（公序良俗違反につき、不掲載）」の録画予約が既に削除されているので、受け付けた録画予約を設定することが可能となる。
【００５２】
番組録画装置１０３、１０４の録画予約受付部３０４は、録画予約操作部２０９からの操作に基づき、録画予約情報を更新して録画予約情報記憶部３０５に新たに記憶する（ステップＳ７０６）。また、録画管理装置１０１の情報収集部２０５は、更新された各番組録画装置１０３、１０４の録画予約情報を再度収集して、録画予約情報記憶部２０６に記憶する。
【００５３】  図８は実施の形態１に係る更新後の録画予約情報の一例を示す図である。図８からわかるように、もともとレコーダ０１に設定されていた衝突する録画予約（チャンネル「（公序良俗違反につき、不掲載）」）がレコーダ０２に移動され、当該移動により空いた録画領域に、録画予約受付部２０４で受け付けられた録画予約（チャンネル「（公序良俗違反につき、不掲載）」）が設定されていることがわかる。
【００５４】
以上のように、本発明の実施の形態１によれば、録画管理装置１０１は、収集した録画予約情報及び番組録画装置情報に基づいて、受け付けた録画予約を設定できる番組録画装置を決定し、接続された番組録画装置のいずれにも設定できない場合に、番組録画装置間で既に設定されている録画予約を移動させ、移動により空いた領域に受け付けた録画予約を設定するので、録画予約を効率的に番組録画装置に設定することが可能となる。
【００５５】
また、このように効率的に録画予約を設定できるので、ユーザは同一の空き容量でより多くの番組を録画することができる。また、ユーザにとって複雑な操作を要求されることがない。
【００５６】
なお、録画管理装置１０１の録画予約指示部２０８は、必ずしも、接続される全ての番組録画装置間で既に設定された録画予約を移動可能か否か判断する必要はなく、接続された複数の番組録画装置のうち少なくとも２台以上の番組録画装置間で移動させるよう指示すればよい。その場合、情報収集部２０５は、接続された複数の番組録画装置のうち少なくとも２台以上の番組録画装置から録画予約情報及び番組録画装置情報を収集すればよい。そうすることにより、収集する情報量を削減できるので録画管理装置１０１内のメモリ容量を確保できるとともに、録画管理装置１０１と番組録画装置間の不必要な通信を抑えることが可能となる。また、収集する情報量を削減できるので、録画予約指示部２０８の処理を高速化することが可能となる。なお、上述したように録画管理装置１０１が番組録画装置として構成される場合は、録画管理装置１０１の録画予約指示部２０８は、録画管理装置１０１と少なくとも１台以上の番組録画装置との間で既に設定された録画予約を移動させるよう指示すればよい。
【００５７】
なお、図７のステップＳ４０３の処理において、録画予約指示部２０８が、受け付けた録画予約を複数の番組録画装置１０３、１０４に設定可能であると判断した場合（ステップＳ４０３−Ｙｅｓ）、録画予約情報に含まれる項目についての情報、例えばタイトル５０６、ジャンル５０７の情報を利用して、受け付けた録画予約を設定する番組録画装置を優先的に決定するようにしてもよい。例えば、各番組録画装置に優先的に設定すべき録画予約のジャンルの情報を事前にユーザに入力させればよい。また、各番組録画装置に対して優先的に録画予約を設定するタイトルの頭文字等を決定してユーザに入力させればよい。上記ではジャンル、タイトルを例にとって説明したが、これに限るものではない。
【００５８】
実施の形態２．
以下図面を用いて本発明の実施の形態２について説明する。
【００５９】
図９は実施の形態２に係る録画管理装置９０１の構成例を示す図である。実施の形態２の録画管理装置９０１は、実施の形態１の録画管理装置１０１の構成に加えて、新たに録画予約収集部２１０を備えている点において実施の形態１と異なる。なお、その他の構成については実施の形態１と同様であるので図２と同一の符号を付してその説明を省略する。
【００６０】
録画予約収集部２１０は、録画管理装置９０１に接続される複数の番組録画装置にそれぞれ設定された録画予約を収集する。録画予約収集部２１０が各番組録画装置に設定された録画予約を収集することにより、録画管理装置９０１には全ての録画予約が集まることとなる。
【００６１】
実施の形態２の動作について説明する。図１０は実施の形態２に係る動作例を示すフローチャートである。
【００６２】
録画予約受付部２０４が入力部２０２を介して録画予約を受け付けると（ステップＳ１００１）、受け付けた録画予約を録画予約情報記憶部２０６に記憶する。それから、録画予約収集部２１０が、各番組録画装置に設定された録画予約を収集する（ステップＳ１００２）。なお、各番組録画装置に設定された録画予約は、録画予約収集部２１０により収集されることにより、削除される。なお、録画予約収集部２１０は、ステップＳ１００１において録画予約を受け付けられなくても、録画予約の収集処理を行ってもよい。その場合は、例えばユーザが入力部２０２を介して録画予約収集の指示を行うことになる。
【００６３】
図１１は実施の形態２に係る録画予約情報の一例を示す図である。装置名５０１、放送種別５０２、チャンネル５０３、録画日時５０４、番組入力元５０５、タイトル５０６、ジャンル５０７の録画予約情報を構成する項目は図５と同様であるためその説明を省略する。
【００６４】
図１０に戻って、情報収集部２０５は、録画予約受付部２０４からの指示により、各番組録画装置から番組録画装置情報を収集し（ステップＳ１００３）、番組録画装置情報記憶部２０７に記憶する。情報収集部２０５は、ステップＳ１００２の処理により各番組録画装置には録画予約が設定されていないため、各番組録画装置から録画予約情報を収集する必要はない。
【００６５】
録画予約指示部２０８は、録画予約情報記憶部２０６に記憶された録画予約情報、及び、番組録画装置情報記憶部２０７に記憶された番組録画装置情報に基づいて、各番組録画装置に対して録画予約の設定を行うよう録画予約操作部２０９に指示し、録画予約操作部２０９が当該指示に従った操作を行う（ステップＳ１００４）。
【００６６】
この際、録画予約指示部２０８は、録画予約情報に含まれる録画日時を参照し、録画予約の開始日時の所定時間前になると、当該録画予約を適切な番組録画装置に設定する。この所定時間は特に限定されないが、例えば１分であってよい。
【００６７】  ここで、録画管理装置９０１が図１１で示した録画予約を保有している場合を例にとって説明する。２０１２年７月１日１８時の所定時間前になると、録画予約指示部２０８は、チャンネル「（公序良俗違反につき、不掲載）」の録画予約、及び、チャンネル「（公序良俗違反につき、不掲載）」の録画予約を番組録画装置に設定する。このとき録画予約指示部２０８は、番組録画装置情報に基づき、チャンネル「（公序良俗違反につき、不掲載）」の録画予約をレコーダ０１に設定し、チャンネル「（公序良俗違反につき、不掲載）」の録画予約をレコーダ０１に設定するよう指示する。
【００６８】  録画予約指示部２０８は、２０１２年７月１日１９時３０分の所定時間前になると、チャンネル「（公序良俗違反につき、不掲載）」の録画予約を、番組録画装置情報に基づき、レコーダ０２に設定するよう指示する。また、録画予約指示部２０８は、２０１２年７月１日２２時の所定時間前になると、チャンネル「（公序良俗違反につき、不掲載）」の録画予約を、レコーダ０２に設定するよう指示する。
【００６９】
以上のように、本発明の実施の形態２によれば、録画管理装置９０１が各番組録画装置に設定された録画予約を収集して保有し、保有している全ての録画予約を、録画予約情報及び番組録画装置情報に基づいて各番組録画装置に適切に設定するので、録画予約を効率的に番組録画装置に設定することが可能となる。
【００７０】
なお、録画管理システムとして、録画管理装置９０１がネットワーク上において複数配置されている場合は、複数の録画管理装置９０１が互いに通信を行うことにより、その存在を認識する。そして、所定のルールに基づき、複数の録画管理装置９０１のうちいずれかの録画管理装置９０１は録画予約収集処理を行い、他の録画管理装置９０１は録画予約収集処理を行わないようにする。そうすることにより、各番組録画装置が録画予約をいずれの録画管理装置９０１に送信してよいのか分からなくなるという事態を防ぎ、録画管理システム全体として正しく動作しなくなることを防止できる。なお、上述した所定のルールとは、例えば装置名を辞書順で比較して小さい装置名を持つ装置が録画予約収集処理を行う、といったルール等でよい。
【００７１】
実施の形態３．
以下図面を用いて本発明の実施の形態３について説明する。
【００７２】
実施の形態３の録画管理装置は、実施の形態１の録画管理装置１０１の構成と同様であるので図２と同一の符号を付してその説明を省略する。実施の形態３は、録画予約情報に含まれる項目である番組入力元が外部機器である場合に、当該録画予約を外部機器から番組録画装置自体に移動させる点で実施の形態１、２と異なる。
【００７３】
実施の形態３の動作について説明する。図１２は実施の形態３に係る動作例を示すフローチャートである。なお、以下の説明では、実施の形態１の動作の説明と同様に、録画管理装置２０１には２台の番組録画装置１０３、１０４が接続されているものとして説明を行うが、この台数に限定されるものではない。
【００７４】
録画管理装置１０１の情報収集部２０５は、通信手段２０１を介して、複数の番組録画装置１０３、１０４、１０５から録画予約情報及び番組録画装置情報を収集する（ステップＳ１２０１）。この収集のタイミングは、例えば録画管理装置１０１が起動してから定期的に行うようにしてもよいし、録画予約受付部２０４が録画予約を受け付けたことに応じて収集を行ってもよい。また、ユーザから入力部２０２を介して収集指示がなされた場合に収集を行うようにしてもよい。
【００７５】
録画予約指示部２０８は、情報収集部２０５により収集された録画予約情報から、外部装置を番組入力元とする録画予約があるか否かを判定する（ステップＳ１２０２）。
【００７６】  図１３は実施の形態３に係る録画予約情報の一例を示す図である。ここでは、情報収集部２０５により、図１３で説明した録画予約情報が収集されたとして説明する。図１３に示すように、録画予約情報のうち、レコーダ０２に番組入力元が「外部機器」である録画予約（チャンネル「（公序良俗違反につき、不掲載）」）が存在するため、録画予約指示部２０８は外部装置を番組入力元とする録画予約があると判定する（ステップＳ１２０２−Ｙｅｓ）。
【００７７】
録画予約指示部２０８は、情報収集部２０５により収集された番組録画装置情報から、選択された録画予約、つまり番組入力元が「外部機器」である録画予約を、自装置のみで録画可能な番組録画装置が存在するか否かを判定する（ステップＳ１２０３）。
【００７８】  ここでは、情報収集部２０５が収集した番組録画装置情報が、図６で説明した情報であるとして説明を行うと、レコーダ０１の放送種別には「ＣＳデジタル」が含まれ、録画可能チャンネル６０４には「（公序良俗違反につき、不掲載）」が含まれていることがわかるので、録画予約指示部２０８は、選択された録画予約を自装置で録画可能な番組録画装置があると判定する（ステップＳ１２０４−Ｙｅｓ）。
【００７９】
次に、録画予約指示部２０８は、録画予約情報に基づき、選択された録画予約を、ステップＳ１２０４で選択されたレコーダ０１に設定できるか否かを判定する（ステップＳ１２０４）。
【００８０】
ここでは、図１３に示すように、レコーダ０１には放送種別「ＣＳデジタル」の録画予約が設定されていないことから、選択された録画予約をレコーダ０１に設定できるので（ステップＳ１２０４−Ｙｅｓ）、録画予約操作部２０９は、録画予約指示部２０８からの指示に基づいて、選択された録画予約をレコーダ０１（番組録画装置１０３）に設定する（ステップＳ１２０５）。
【００８１】
ステップＳ１２０４において、録画予約指示部２０８が、選択された録画予約を、選択された番組録画装置に設定できないと判定した場合（ステップＳ１２０４−Ｎｏ）、番組予約指示部２０８は、ステップＳ１２０６の処理に移って、録画予約の移動の処理を行う。このステップＳ１２０６の処理は、図７で説明した処理と同様であるので説明を省略する。
【００８２】
以上のように、本発明の実施の形態３によれば、録画管理装置２０１が録画予約情報及び番組録画装置情報に基づいて、番組入力元が外部装置である録画予約を選択し、選択した録画予約を自装置で、つまり外部機器を用いず録画可能な番組録画装置に移動させるよう指示するので、外部機器の不具合により録画予約が失敗することを防止し、より確実に番組を録画することが可能となる。なお、外部機器の不具合とは、例えば外部機器に電源が入っていない場合、外部機器と番組録画装置間の接続状態が不安定な場合、等が考えられる。
【００８３】
また、外部機器からネットワークを介して番組録画装置に番組を入力して録画処理がなされることによるネットワーク帯域の消費を抑えることができるので、録画管理システム全体として通信帯域を有効に使えるとともに低消費電力化を図ることが可能となる。
【符号の説明】
【００８４】
１０１  録画管理装置、１０２  ネットワーク、１０３〜１０５  番組録画装置、２０１  通信部、２０２  入力部、２０３  出力部、２０４  録画予約受付部、２０５  情報収集部、２０６  録画予約情報記憶部、２０７  番組録画情報記憶部、２０８  録画予約指示部、２０９  録画予約操作部、２１０  録画予約収集部、３０１  通信部、３０２  入力部、３０３  出力部、３０４  録画予約受付部、３０５  録画予約情報記憶部、３０６  番組録画装置情報記憶部、３０７  情報提供部、３０８  番組録画部、３０９  録画番組記憶部
【図１】
2014090296.tif 000003
【図２】
2014090296.tif 000004
【図３】
2014090296.tif 000005
【図４】
2014090296.tif 000006
【図５】
2014090296.tif 000007
【図６】
2014090296.tif 000008
【図７】
2014090296.tif 000009
【図８】
2014090296.tif 000010
【図９】
2014090296.tif 000011
【図１０】
2014090296.tif 000012
【図１１】
2014090296.tif 000013
【図１２】
2014090296.tif 000014
【図１３】
2014090296.tif 000015